(57)【要約】【課題】  開閉操作が一動作でできるバランサー窓の連動機構を提供する。【解決手段】  バランサー窓の上枠内に内側及び外側のバランサー窓に対応する内側及び外側バランサーを設け、各バランサーは、ゼンマイばねを内蔵した巻上げドラム７と、ゼンマイばねを介してこの巻上げドラムに同軸かつ一体的に連結され、外面に螺旋溝９を形成した円錐台状のワイアドラム８とを有し、一方、螺旋溝９に巻き掛けられた吊りワイア４の巻き方向、及び、吊りワイア４が螺旋溝９から巻き解れるときのゼンマイばねの巻き締め方向を内側及び外側バランサーにおいて相互に反対方向にし、他方、各巻上げドラムに同じモジュール及び同じピッチ円半径を有するバランサー歯車１５を同軸に装着し、各巻上げドラムの出力トルクを同じに設定した状態で、これらのバランサー歯車をアイドル歯車１６で連結する。【選択図】  図４
2005299189.tif 000002
【特許請求の範囲】
【請求項１】
バランサー窓の左右両側において、夫々上枠内に内側及び外側のバランサー窓に対応する内側及び外側バランサーを設け、各バランサーは、ゼンマイばねを内蔵した巻上げドラムと、ゼンマイばねを介してこの巻上げドラムに同軸かつ一体的に連結され、外面に螺旋溝を形成した円錐台状のワイアドラムとを有し、一方、螺旋溝に巻き掛けられた吊りワイアの巻き方向、及び、吊りワイアが螺旋溝から巻き解れるときのゼンマイばねの巻き締め方向を内側及び外側バランサーにおいて相互に反対方向にし、他方、各巻上げドラムに同じモジュール及び同じピッチ円半径を有するバランサー歯車を同軸に装着し、各巻上げドラムの出力トルクを同じに設定した状態で、これらのバランサー歯車をアイドル歯車で連結したことを特徴とするバランサー窓の連動機構。
【発明の詳細な説明】
【技術分野】
【０００１】
この発明は、バランサー窓の連動機構（以下単に連動機構という）に係り、特に、開閉操作を一動作でできるようにした連動機構に関する。
【背景技術】
【０００２】
バランサー窓は、図１に示すように、建物の壁に嵌め込まれた窓枠１に、見込み方向に連設された内側及び外側窓２、３を夫々上下方向に移動可能に案内してなる。
【０００３】
各窓２、３は、両側を吊り紐或いは吊りワイア４を介して、バランサーと称されるばね装置５に連結され、任意の位置で停止することができるように支持されている。
【０００４】
上記バランサー５は、図２及び図３に示すように、ゼンマイばね６を内蔵した巻上げドラム７と、この巻上げドラム７に一体に連結された全体の形状が例えば円錐台状のワイアドラム８とを有してなる。
【０００５】
なお、図１では図示を省略するが、窓２、３の右側にも夫々バランサー５、５が設けられているので、一つのバランサー窓では合計４個のバランサーが設けられている。
【０００６】
上記ワイアドラム８には、図３に示すように、螺旋溝９が形成されていて、この螺旋溝９の巻上げドラム７に近い大径部から吊りワイア７が巻き掛けられ、小径部から巻き解れて、アイドルプーリー１１を経て垂下し、その下端が窓２、３の側端縁に結合されることは図１に示した通りである。
【０００７】
上記螺旋溝９の立体形状は、例えば渦巻き型の蚊取り線香を厚さ方向に引き伸ばしたような形状であり、吊りワイア７をワイアドラム８から巻き解していくと、ゼンマイばね６が巻き締められて巻上げドラム７の出力トルクが線形的に増加する一方、ワイアドラムの中心と吊りワイア７との距離が連続的かつ線形的に減少していく。
【０００８】
そのため、各部材の寸法及び形状を適切に設定すると、巻上げドラム７の出力トルクが増大しても吊りワイア７の張力を一定にすることができ、したがって窓２、３を夫々独立に、かつ任意の上下位置に停止させることができる。
【０００９】
なお、上記したバランサー窓の構成は従来周知であるから、更に詳細な説明は省略する。
【発明の開示】
【発明が解決しようとする課題】
【００１０】
上記したバランサー窓は、勿論所期の機能を発揮して従来実用されてきたが、
内側窓２及び外側窓３を夫々独立に調節できるとは言っても、バランサー窓の全開状態である両窓の重合状態から、両窓の全閉位置の間の開き具合を任意に調節できるということは、窓の機能にとってそんなに重要なことではなく、通気窓としてのバランサー窓の構成としては所謂鶏を割くに牛刀を以てする大袈裟なものである。
【００１１】
そこで、この発明は、開閉操作が一動作でできる連動機構を提案し、バランサー窓の構成を合理的に改良することを目的としている。
【課題を解決するための手段】
【００１２】
上記の目的を達成するため、請求項１に記載の発明は、バランサー窓の左右両側において、夫々上枠内に内側及び外側のバランサー窓に対応する内側及び外側バランサーを設け、各バランサーは、ゼンマイばねを内蔵した巻上げドラムと、ゼンマイばねを介してこの巻上げドラムに同軸かつ一体的に連結され、外面に螺旋溝を形成した円錐台状のワイアドラムとを有し、一方、螺旋溝に巻き掛けられた吊りワイアの巻き方向、及び、吊りワイアが螺旋溝から巻き解れるときのゼンマイばねの巻き締め方向を内側及び外側バランサーにおいて相互に反対方向にし、他方、各巻上げドラムに同じモジュール及び同じピッチ円半径を有するバランサー歯車を同軸に装着し、各巻上げドラムの出力トルクを同じに設定した状態で、これらのバランサー歯車をアイドル歯車で連結したことを特徴とする。
【発明の効果】
【００１３】
上記のように構成された請求項１に記載の発明は、内側及び外側の何れか一方の窓を上げ下げするだけで、他方の窓が上下反対方向に従動するので、バランサー窓の開閉操作が簡単になるという所期の効果を奏する。
【発明を実施するための最良の形態】
【００１４】
従来のバランサー窓のバランサーの構造を少し変更し、バランサー窓の左右両側において、一対のバランサーの各巻上げドラムに同じモジュール及び同じピッチ円半径を有するバランサー歯車を同軸に装着し、これらのバランサー歯車をアイドル歯車で連結するという簡単な構成により、窓の開閉操作を内外一方の窓の操作で他方の窓が従動できるようにした。
【実施例１】
【００１５】
以下、この発明の実施例を図４乃至図７を参照して説明する。
図４及び図５において符号１２は水平な台板を示し、この台板１２はバランサー窓の上枠空間内の例えば室内側から見て左側にに装着される。
【００１６】
この台板１２上には、前記した内側及び外側窓２、３（図１参照）に夫々対応して一対のバランサー５、５が配設されている。
【００１７】
図示の実施例では、図４及び図５において左側のバランサーが内側窓２に、右側のそれが外側窓３に対応しているものとする。
【００１８】
また、各バランサー５において、巻上げドラム７の中心を同軸かつ回動可能にドラム軸１３（図５参照）が貫通しており、このドラム軸１３の巻上げドラム上に突出した部分に、螺旋溝９を形成したワイアドラム８が一体的に結合されている。
【００１９】
なお、図示の実施例におけるドラム軸１３は、上記台板１２上に一体に結合された、全体の形状がコ字形の上枠１４に上端を回動可能に支承され、ワイアドラム８と一体に回動できるように案内されている。
【００２０】
そして、内端をこのドラム軸１３に固定した前記ゼンマイばね６は、ドラム軸１３を複数回渦巻き状に包囲するようにして巻上げドラム７内に収納され、その図示しない外端を例えばドラム内周面に固定している。
【００２１】
また、巻上げドラム７の底面及び台板１２を貫通して下方に突出したドラム軸１３の下端には、ドラム軸１３の抜け止めが施されている。
【００２２】
更にまた、各巻上げドラム７の底面部には、同じモジュール及び同じピッチ円半径を有するバランサー歯車１５が同軸に装着されている。
【００２３】
なお、この発明による連動機構においても、従来のバランサー窓と同様に、ワイアドラムの螺旋溝９に巻き掛けられた吊りワイア４の巻き方向、及び、吊りワイア４が螺旋溝９から巻き解れるときのゼンマイばねの巻き締め方向を内側窓用と外側窓用とでは相互に反対方向に設定されている。
【００２４】
それは、内側及び外側窓に対応する２本の吊りワイア４、４を見込み方向において離す必要があるからである。
【００２５】
すなわち、従来のバランサー窓においては、図４に示すように、左側のワイアドラム８（内側窓用）において、その表面に形成された螺旋溝９の形状を、吊りワイア４を左方に引いてワイアドラム８から巻き解していったとき巻上げドラム７内のゼンマイばねを巻き締めるように設定するものとする。
【００２６】
この場合、巻上げドラムは固定されているから、巻上げドラム７には図４で反時計方向の巻上げトルクＷＬが発生する。
【００２７】
一方、右側のワイアドラム８においては、吊りワイア４を左方に引いてワイアドラム８から巻き解していったとき、巻上げドラム７内のゼンマイばねを巻き締めるように設定されている。
【００２８】
そのため、右側のバランサーにおける巻上げドラム７には図４で時計方向の巻上げトルクＷＲが発生する。
【００２９】
本発明においては、左右とも巻上げドラム７を固定せず、各ドラム軸１３の下端を工具により所定の方向に回してゼンマイばねに弾力を発生させ、その出力トルクが内側或いは外側窓２、３の重量を担持できる所定のトルクに設定する。
【００３０】
この場合、内側及び外側窓２、３の重量はほぼ等しく設定されているのが普通だから、通常、左右の巻上げドラムの所定のトルクはほぼ等しくなる。
【００３１】
この状態で、図４及び図５に示すように、左右のバランサー歯車１５、１５をアイドル歯車１６で連結すると、左右の巻上げドラム７、７の出力トルクはほぼ等しく、かつその方向は逆であるから、これらの出力トルクが釣り合って図４に示す巻上げドラム７、７の角度位置が安定に保持される。
【００３２】
図示の実施例におけるアイドル歯車１６は付番しないカラー付で、前記台板１２及び上枠１４に回動可能に支承され、長さ方向の位置を変えることができるアイドル歯車軸１７（図５参照）の下端部に回動可能に支承されている。
【００３３】
なお、アイドル歯車軸１７の下端部でアイドル歯車のカラーの下方にはこれを貫通するピン１８が打込まれており、更に、アイドル歯車軸１７の下端には水平投影が例えば小判形（図４参照）の摘み１９が形成されている。
【００３４】
そして、このアイドル歯車１６のカラーは、図７に示すように、ピン１８の端部が通過できる耳穴２１を連設した支持孔２２と回動可能に嵌合している。
【００３５】
更に、アイドル歯車軸１７は、図５に示すように、圧縮コイルばねとしての軸ばね２３の弾力により、図５で下方に付勢されている。
【００３６】
一方、図４及び図５に示すように、左側のワイアドラム８に巻き掛けられた吊りワイア４の一端はアイドルプーリー１１を介して内側窓の一方の側端縁に、右側のそれは、同様にアイドルプーリー１１を介して外側窓の一方の側端縁に夫々連結される。
【００３７】
室内側から見て右側の上枠に装着された図示しないワイアドラムに巻き掛けられた一対の吊りワイアの一端は、内側及び外側窓の他方の側端縁に夫々連結される。なお、図６において符号２４はワッシャーを示す。
【００３８】
上記のように構成されたこの発明の一実施例による連動機構は、例えば内側窓を下方に押動すると、図４で左側のワイアドラム８に巻き掛けられていた吊りワイア４が下方に引かれ、このワイアドラムが時計方向に回動しようとする。
【００３９】
従来のバランサーであれば、巻上げドラムが固定されているから、ワイアドラム８の回動によりゼンマイばねが巻き締められるのであるが、本発明においては、巻上げドラムが回動可能に支承され、かつ、バランサー歯車及びアイドル歯車１６を介して相手方の巻上げドラムに連結されている。
【００４０】
そのため、左方の巻上げドラム７が時計方向に回動し、アイドル歯車１６を介して連結された右側の巻上げドラムも、一対の巻上げドラムの出力トルクが等しくなるように時計方向に回動する。
【００４１】
つまり、内側窓が下降すると連動して外側窓が上昇する。前記したように内側及び外側窓に対応するバランサーの構成は相互に対称的であるから、内側窓を上げると外側窓が下降する。同様に、外側窓を上げ下げすると、連動して内側窓が反対方向に移動する。
【００４２】
この連動機構は、巻き締められたゼンマイばねのトルクを介して相手方を駆動するから、できの悪い歯車を使用してもゴリゴリした感触は生ぜず、また、急激な上げ下げによる衝撃はゼンマイばねに吸収されて円滑になる。
【００４３】
なお、ゼンマイばねの初期のトルクを設定するには、図６に示すように、摘み１９を手指で押上げると共に何れかの方向に回動し、ピン１８の端部を耳孔２１（図７参照）を潜らせて支持孔２２の開口端縁部に載置すれば、アイドル歯車１６は安定的にバランサー歯車から切り離されるから、各ドラム軸１３を回動して各巻上げドラムの出力トルクを独立に調整できる。
【００４４】
トルク調整及び設定後は、上記したと逆方向の操作により、アイドル歯車１６を介して一対のバランサー歯車１５、１５を相互に連結する。
【図面の簡単な説明】
【００４５】
【図１】バランサー窓の線図的一部断面正面図。
【図２】従来のバランサー装置の平面図で、図面を明瞭にするためワイアドラムの螺旋溝を省略して示す。
【図３】その一部断面側面図。
【図４】この発明の一実施例による連動機構の線図的平面図。
【図５】その一部断面側面図で、図面を明瞭にするため螺旋溝を省略して示す。
【図６】アイドル歯車の拡大一部断面側面図。
【図７】支持孔を開口した台板の拡大平面図。
【符号の説明】
【００４６】
１  窓枠
２  内側窓
３  外側窓
４  吊りワイア
５  バランサー
６  ゼンマイばね
７  巻上げドラム
８  ワイアドラム
９  螺旋溝
１１  アイドル  プーリー
１２  台板
１３  ドラム軸
１５  バランサー歯車
１６  アイドル歯車
１７  アイドル歯車軸
１８  ピン
１９  摘み
【図１】
2005299189.tif 000003
【図２】
2005299189.tif 000004
【図３】
2005299189.tif 000005
【図４】
2005299189.tif 000006
【図５】
2005299189.tif 000007
【図６】
2005299189.tif 000008
【図７】
2005299189.tif 000009